【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
タブ用紙のタブ部への印字が可能な印刷装置を制御する印刷制御装置であって、
前記タブ部の位置情報を設定する第１の設定手段と、
前記タブ部に印字するインデックス印字データの印字位置を設定する第２の設定手段と、
前記第１の設定手段で設定された前記タブ部の位置情報と、前記第２の設定手段で設定された前記タブ部に印字するインデックス印字データの印字位置とに基づいてテスト印刷データを生成するテスト印刷データ生成手段と、
を有することを特徴とする印刷制御装置。
【請求項２】
前記テスト印刷データ生成手段で生成されたテスト印刷データを前記印刷装置で印字後、前記第１の設定手段および/または前記第２の設定手段で前記タブ部の位置情報および/または前記タブ部に印字するインデックス印字データの印字位置を再設定可能であることを特徴とする請求項１に記載の印刷制御装置。
【請求項３】
前記第１の設定手段で設定される前記タブ部の位置情報に基づいて、前記テスト印刷データ生成手段は、前記タブ部の印字領域を印字するための印刷データを生成することを特徴とする請求項１または２に記載の印刷制御装置。
【請求項４】
前記第２の設定手段では、前記インデックス印字データの印字位置をタブ用紙の長手方向および短手方向に調整可能であることを特徴とする請求項１乃至３のいずれか１に記載の印刷制御装置。
【請求項５】
前記第２の設定手段は、前記インデックス印字データの印字位置を所望のタブ部毎に調整可能であることを特徴とする請求項４に記載の印字制御装置。
【請求項６】
前記第２の設定手段は、前記タブ部の両面への印字が指定されている場合に前記タブ部の一方の面へのインデックス印字データの印字位置設定に基づいて、もう一方の面に印字するインデックス印字データの印字位置を設定することを特徴とする請求項１乃至５のいずれか１に記載の印字制御装置。
【請求項７】
前記第１の設定手段で設定される前記タブ部の位置情報は少なくともタブ用紙枚数と見開き方向とを含むことを特徴とする請求項１乃至６のいずれか１に記載の印刷制御装置。
【請求項８】
タブ用紙のタブ部への印字が可能な印刷装置の印刷制御方法であって、
前記タブ部の位置情報を設定する第１の設定工程と、
前記タブ部に印字する印字データの印字位置を設定する第２の設定工程と、
前記第１の設定工程で設定された前記タブ部の位置情報と、前記第２の設定手段で設定された前記タブ部に印字する印字データの印字位置とに基づいてテスト印刷データを生成するテスト印刷データ生成工程と、
を有することを特徴とする印刷制御方法。
【請求項９】
前記テスト印刷データ生成工程で生成されたテスト印刷データを前記印刷装置で印字後、前記第１の設定工程および/または前記第２の設定工程で前記タブ部の位置情報および/または前記タブ部に印字するインデックス印字データの印字位置を再設定可能であることを特徴とする請求項８に記載の印刷制御方法。
【請求項１０】
前記第１の設定工程で設定された前記タブ部の位置情報に基づいて、前記テスト印刷データ生成工程では、前記タブ部の印字領域を印字するための印刷データを生成することを特徴とする請求項８または９に記載の印刷制御方法。
【請求項１１】
前記第２の設定工程では、前記インデックス印字データの印字位置をタブ用紙の長手方向および短手方向に調整可能であることを特徴とする請求項８乃至１０のいずれか１に記載の印刷制御方法。
【請求項１２】
前記第２の設定工程では、前記インデックス印字データの印字位置を所望のタブ部毎に調整可能であることを特徴とする請求項１１に記載の印字制御方法。
【請求項１３】
前記第２の設定工程では、前記タブ部の両面への印字が指定されている場合に前記タブ部の一方の面へのインデックス印字データの印字位置設定に基づいて、もう一方の面に印字するインデックス印字データの印字位置を設定することを特徴とする請求項８乃至１２のいずれか１に記載の印字制御方法。
【請求項１４】
前記第１の設定工程で設定される前記タブ部の位置情報は少なくともタブ用紙枚数と見開き方向とを含むことを特徴とする請求項８乃至１３のいずれか１に記載の印刷制御方法。
【請求項１５】
タブ用紙のタブ部への印字が可能な印刷装置を制御する印刷制御装置で実行される印刷制御プログラムであって、
前記タブ部の位置情報を設定する第１の設定工程と、
前記タブ部に印字する印字データの印字位置を設定する第２の設定工程と、
前記第１の設定工程で設定された前記タブ部の位置情報と、前記第２の設定手段で設定された前記タブ部に印字する印字データの印字位置とに基づいてテスト印刷データを生成するテスト印刷データ生成工程と、
を印刷制御装置に実行させることを特徴とする印刷制御プログラム。
【請求項１６】
前記テスト印刷データ生成工程で生成されたテスト印刷データを前記印刷装置で印字後、前記第１の設定工程および/または前記第２の設定工程で前記タブ部の位置情報および/または前記タブ部に印字するインデックス印字データの印字位置を再設定可能であることを特徴とする請求項１５に記載の印刷制御プログラム。
【請求項１７】
前記第１の設定工程で設定された前記タブ部の位置情報に基づいて、前記テスト印刷データ生成工程では、前記タブ部の印字領域を印字するための印刷データを生成することを特徴とする請求項１５または１６に記載の印刷制御プログラム。
【請求項１８】
前記第２の設定工程では、前記インデックス印字データの印字位置をタブ用紙の長手方向および短手方向に調整可能であることを特徴とする請求項１５乃至１７のいずれか１に記載の印刷制御プログラム。
【請求項１９】
前記第２の設定工程では、前記インデックス印字データの印字位置を所望のタブ部毎に調整可能であることを特徴とする請求項１８に記載の印字制御プログラム。
【請求項２０】
前記第２の設定工程では、前記タブ部の両面への印字が指定されている場合に前記タブ部の一方の面へのインデックス印字データの印字位置設定に基づいて、もう一方の面に印字するインデックス印字データの印字位置を設定することを特徴とする請求項１５乃至１９のいずれか１に記載の印字制御プログラム。
【請求項２１】
前記第１の設定工程で設定される前記タブ部の位置情報は少なくともタブ用紙枚数と見開き方向とを含むことを特徴とする請求項１５乃至２０のいずれか１に記載の印刷制御プログラム。
【請求項２２】
請求項１５乃至２１のいずれか１に記載の印刷制御プログラムをコンピュータで読取り可能に記憶した記憶媒体。
【請求項２３】
タブ用紙のタブ部への印字が可能な印刷装置を制御する印刷制御装置であって、
前記タブ部に印字するインデックス印字データの印字位置を前記タブ用紙の長手方向および短手方向に調整可能な印字位置設定手段と、
前記印字位置設定手段で設定された印字位置に基づいて、前記タブ用紙のタブ部に印字すべき前記インデックス印字データの位置を調整した印刷データを生成する印刷データ生成手段と、
を有することを特徴とする印刷制御装置。
【請求項２４】
前記印字位置設定手段は、前記タブ部に印字するインデックス印字データの印字位置調整をタブ部毎に設定することを特徴とする請求項２３に記載の印刷制御装置。
【請求項２５】
前記印字位置設定手段は、前記タブ部の両面への印字が指定されている場合に前記タブ部の一方の面へのインデックス印字データの印字位置設定に基づいて、もう一方の面に印字するインデックス印字データの印字位置を設定することを特徴とする請求項２３または２４に記載の印刷制御装置。
【請求項２６】
タブ用紙のタブ部への印字が可能な印刷装置を制御する印刷制御方法であって、
前記タブ部に印字するインデックス印字データの印字位置を前記タブ用紙の長手方向および短手方向に調整可能な印字位置設定工程と、
前記印字位置設定工程で設定された印字位置に基づいて、前記タブ用紙のタブ部に印字すべき前記インデックス印字データの位置を調整した印刷データを生成する印刷データ生成工程と、
を有することを特徴とする印刷制御方法。
【請求項２７】
前記印字位置設定工程では、前記タブ部に印字するインデックス印字データの印字位置調整をタブ部毎に設定することを特徴とする請求項２６に記載の印刷制御方法。
【請求項２８】
前記印字位置設定工程では、前記タブ部の両面への印字が指定されている場合に、前記タブ部の一方の面へのインデックス印字データの印字位置設定に基づいて、もう一方の面に印字するインデックス印字データの印字位置を設定することを特徴とする請求項２６または２７に記載の印刷制御方法。
【請求項２９】
タブ用紙のタブ部への印字が可能な印刷装置を制御する印刷制御装置で実行される印刷制御プログラムであって、
前記タブ部に印字するインデックス印字データの印字位置を前記タブ用紙の長手方向および短手方向に調整可能な印字位置設定工程と、
前記印字位置設定工程で設定された印字位置に基づいて、前記タブ用紙のタブ部に印刷すべき前記インデックス印字データの位置を調整した印刷データを生成する印刷データ生成工程と、
を有することを特徴とする印刷制御プログラム。
【請求項３０】
前記印字位置設定工程では、前記タブ部に印字するインデックス印字データの印字位置調整をタブ部毎に設定することを特徴とする請求項２９に記載の印刷制御プログラム。
【請求項３１】
前記印字位置設定工程では、前記タブ部の両面への印字が指定されている場合に、前記タブ部の一方の面へのインデックス印字データの印字位置設定に基づいて、もう一方の面に印字するインデックス印字データの印字位置を設定することを特徴とする請求項２９または３０に記載の印刷制御プログラム。
【請求項３２】
請求項２９乃至３１のいずれか１に記載の印刷制御プログラムをコンピュータで読取り可能に記憶した記憶媒体。